(57)【特許請求の範囲】
【請求項１】
撮像装置の装置本体に対してヒンジ部を介して開閉方向に回動可能に支持され、閉じた状態で表示画面の裏面側が前記装置本体に対向するように配置される表示ユニットの前記表示画面に着脱可能に装着され、該装着時に前記表示画面に表示された画像を光学系により縮小して出力するファインダであって、
前記撮像装置は、アクセサリを装着可能なアクセサリ取付部と、前記アクセサリ取付部が上部に設けられた台座部と、前記装置本体の上部に設けられ前記表示ユニットが全開位置にあるときに当接して前記表示ユニットの回転動作を規制するための当接部と、を備え、前記装置本体の上下方向における前記当接部から前記台座部の最下面までの距離が、前記当接部から前記表示ユニットの前記表示画面側の最外形までの距離よりも大きく設定され、
前記光学系は、前記表示画面からの光束を反射する第１の反射鏡と、前記第１の反射鏡に対して平行に配置され、前記第１の反射鏡で反射された光束を前記表示画面からの光束と平行な方向に反射させて撮影者の接眼側に到達させる第２の反射鏡と、を有し、
前記ファインダの外装には、前記装置本体に対して前記表示ユニットを前記全開位置まで回動させたときに前記台座部の一部と当接して前記ファインダと前記装置本体との干渉を回避するための切欠き部が設けられ、前記表示ユニットが前記全開位置にあるときに前記第２の反射鏡が前記装置本体と対向することを特徴とするファインダ。
【請求項２】
前記表示ユニットが前記装置本体に対して閉じた状態にあるときに、前記第１の反射鏡には、前記装置本体に搭載されたレンズ鏡筒の光軸と平行な方向に前記表示画面からの光束が入射することを特徴とする請求項１に記載のファインダ。
【請求項３】
前記第２の反射鏡は、前記表示ユニットが前記全開位置にあるときに前記アクセサリ取付部と対向することを特徴とする請求項１または２に記載のファインダ。
【請求項４】
前記表示ユニットが前記全開位置にあるときに前記第２の反射鏡で反射されて撮影者の接眼側に到達する光束の中心は、前記ヒンジ部の回動中心よりも前記装置本体の側に配置されることを特徴とする請求項１乃至３のいずれか一項に記載のファインダ。
【請求項５】
装置本体と、
前記装置本体に対してヒンジ部を介して開閉方向に回動可能に支持され、閉じた状態で表示画面の裏面側が前記装置本体に対向するように配置される表示ユニットと、
前記表示ユニットの前記表示画面に着脱可能に装着され、該装着時に前記表示画面に表示された画像を光学系により縮小して出力するファインダと、
アクセサリを装着可能なアクセサリ取付部と、
前記アクセサリ取付部が上部に設けられた台座部と、
前記装置本体の上部に設けられ前記表示ユニットが全開位置にあるときに当接して前記  表示ユニットの回転動作を規制するための当接部と、を備え、
前記装置本体の上下方向における前記当接部から前記台座部の最下面までの距離が、前記当接部から前記表示ユニットの前記表示画面側の最外形までの距離よりも大きく設定された撮像装置であって、
前記ファインダとして、請求項１乃至４のいずれか一項に記載のファインダを備えることを特徴とする撮像装置。
【発明の詳細な説明】
【技術分野】
【０００１】
本発明は、例えばデジタルカメラやデジタルビデオカメラ等の撮像装置の表示ユニットに装着されるファインダに関する。
【背景技術】
【０００２】
デジタルビデオカメラ等の撮像装置では、２〜４インチ程度の液晶パネルにビューファインダを着脱可能に装着することにより、液晶パネルをファインダとモニタに兼用するものがある。
【０００３】
例えば、図１６に示すように、カメラ本体に対して回動可能に支持された液晶パネル１にビューファインダ１０を装着した際に、液晶パネル１の表示画面１ａの画像をビューファインダ１０の光学系により縮小して出力する技術が提案されている（特許文献１）。
【０００４】
ビューファインダ１０の光学系は、表示画面１ａに対する角度を４５°以下にして設けた第１の反射鏡２と、第１の反射鏡２と平行に配置されると共に第１の反射鏡２からの光束を第１の反射鏡２への入射光束と平行な方向に反射させる第２の反射鏡４とを有する。そして、第２の反射鏡４で反射された光束は、接眼レンズ５，６を介して撮影者の眼７に導かれる。
【先行技術文献】
【特許文献】
【０００５】
【特許文献１】特開平１１−１９６３０２号公報
【発明の概要】
【発明が解決しようとする課題】
【０００６】
上記特許文献１では、カメラ本体に対して液晶パネルがビューファインダとともに回動するため、液晶パネルを回動操作した際にビューファインダがカメラ本体に干渉し、液晶パネルの回動角度が制限されてしまう。
【０００７】
この場合、液晶パネルを回動操作した際のビューファインダとカメラ本体との距離を離すことで、前述した干渉を回避することができるが、このようにすると、ビューファインダを含めたカメラ全体の大型化を招くことになる。
【０００８】
そこで、本発明は、装置本体に対して回動可能に支持される表示ユニットにファインダを装着した状態で表示ユニットを回動操作した際に、ファインダを含めた装置全体の大型化を招くことなく、表示ユニットの回動角度が制限されるのを回避する技術を提供する。
【課題を解決するための手段】
【０００９】
上記目的を達成するために、本発明は、撮像装置の装置本体に対してヒンジ部を介して開閉方向に回動可能に支持され、閉じた状態で表示画面の裏面側が前記装置本体に対向するように配置される表示ユニットの前記表示画面に着脱可能に装着され、該装着時に前記表示画面に表示された画像を光学系により縮小して出力するファインダであって、前記撮像装置は、アクセサリを装着可能なアクセサリ取付部と、前記アクセサリ取付部が上部に設けられた台座部と、前記装置本体の上部に設けられ前記表示ユニットが全開位置にあるときに当接して前記表示ユニットの回転動作を規制するための当接部と、を備え、前記装置本体の上下方向における前記当接部から前記台座部の最下面までの距離が、前記当接部から前記表示ユニットの前記表示画面側の最外形までの距離よりも大きく設定され、前記光学系は、前記表示画面からの光束を反射する第１の反射鏡と、前記第１の反射鏡に対して平行に配置され、前記第１の反射鏡で反射された光束を前記表示画面からの光束と平行な方向に反射させて撮影者の接眼側に到達させる第２の反射鏡と、を有し、前記ファインダの外装には、前記装置本体に対して前記表示ユニットを前記全開位置まで回動させたときに前記台座部の一部と当接して前記ファインダと前記装置本体との干渉を回避するための切欠き部が設けられ、前記表示ユニットが前記全開位置にあるときに前記第２の反射鏡が前記装置本体と対向することを特徴とする。
【発明の効果】
【００１０】
本発明によれば、装置本体に対して回動可能に支持される表示ユニットにファインダを装着した状態で表示ユニットを回動操作した際に、ファインダを含めた装置全体の大型化を招くことなく、表示ユニットの回動角度が制限されるのを回避することができる。
【図面の簡単な説明】
【００１１】
【図１】本発明の実施形態の一例であるファインダが着脱可能に装着されるデジタルカメラを正面側（被写体側）から見た斜視図である。
【図２】図１に示すデジタルカメラを背面側から見た斜視図である。
【図３】表示ユニットにファインダを装着した状態を示す斜視図である。
【図４】ファインダを表示ユニットへの装着面側から見た斜視図である。
【図５】図４に示すファインダを背面側から見た斜視図である。
【図６】ファインダの光軸方向に沿う断面図である。
【図７】カメラ本体に対して表示ユニットを略９０°開いて表示画面を上側に向けた状態を示す斜視図である。
【図８】カメラ本体に対して表示ユニットを略９０°開いて表示画面を上側に向けた状態を示す右側面図である。
【図９】図８の状態から表示ユニットを回転軸を中心に右方向に回転させて表示画面を斜め下側に向けた状態を示す右側面図である。
【図１０】表示ユニットとカメラ本体の上面部に設けられたアクセサリ取付部との関係を示す部分拡大図である。
【図１１】表示ユニットを裏面側から見た図である。
【図１２】表示ユニットにファインダを装着する方法を説明する図である。
【図１３】表示ユニットにファインダを装着する方法を説明する図である。
【図１４】（ａ）は表示ユニットにファインダを装着した状態を表示ユニットの裏面側から見た図、（ｂ）は（ａ）のＦ−Ｆ線断面図である。
【図１５】（ａ）はファインダを装着した表示ユニットをローアングル姿勢で使用しているときのファインダのみを断面図示したカメラの右側面図、（ｂ）は（ａ）に断面図示したファインダの部分拡大図である。
【図１６】従来のファインダを示す断面図である。
【発明を実施するための形態】
【００１２】
以下、図面を参照して、本発明の実施形態の一例を説明する。
【００１３】
図１は、本発明の実施形態の一例であるファインダが着脱可能に装着されるデジタルカメラを正面側（被写体側）から見た斜視図である。図２は、図１に示すデジタルカメラを背面側から見た斜視図である。なお、本実施形態では、撮像装置としてレンズ鏡筒が搭載されたデジタルカメラを例示するが、装置本体に対して表示ユニットが回動可能に支持される構成を有するカメラであれば、デジタルビデオカメラやその他のカメラであってもよい。
【００１４】
図１に示すように、デジタルカメラのカメラ本体１０１の正面側（被写体側）には、レンズ鏡筒１０２が設けられ、レンズ鏡筒１０２の外周部には、ズームリング１０３、及びフォーカスリング１０４が設けられている。
【００１５】
カメラ本体１０１を正面側から見てカメラ本体１０１の右側の側部には、フォーカス切替スイッチ１０５、表示切替スイッチ１０６ａ及びＡＦスイッチ１０６ｂが設けられている。カメラ本体１０１は、本発明の装置本体の一例に相当する。
【００１６】
フォーカス切替スイッチ１０５は、オートフォーカスモードとマニュアルフォーカスモードとを切り替えることができる。表示切替スイッチ１０６ａは、表示ユニット２０２に表示されるカメラ本体１０１の状態を示すアイコンの表示／非表示を切り替えることができる。ＡＦスイッチ１０６ｂは、マニュアルフォーカスモードになっている場合に、撮影者が押している間だけ一時的にオートフォーカスモードに切り替えることができる。
【００１７】
カメラ本体１０１を正面側から見てカメラ本体１０１の左側の側部には、把持部１０７が設けられ、把持部１０７は、カメラ本体１０１の左右方向に延びる回動軸２０１を中心に矢印Ａ側に９０°、矢印Ｂ側に９０°（図２参照）それぞれ回動操作が可能である。
【００１８】
カメラ本体１０１の上面部には、マイク１０８が設けられ、マイク１０８の背面側には、図２に示すように、フラッシュや外部マイクなどのカメラアクセサリを装着可能なアクセサリ取付部１０９が台座部１１０を介して設けられている。
【００１９】
図２に示すように、カメラ本体１０１には、表示ユニット２０２がヒンジ部７０１（図７参照）を介して背面カバー２０７に対して開閉方向（図の上下方向）に回動可能、かつ開き状態で回転可能に支持されている。
【００２０】
表示ユニット２０２の表示画面２０６には、撮影者が確認する撮像画像や再生画像が表示される。背面カバー２０７の上部側には、全開状態の表示ユニット２０２が当接して表示ユニット２０２のそれ以上の回動を規制する当接部２０８が設けられている。
【００２１】
カメラ本体１０１の表示ユニット２０２の下側の背面カバー２０７には、記録媒体が着脱可能に装着される記録媒体装着部を開閉可能に覆うカバー部２０３が設けられている。カバー部２０３には、操作ノブ２０４が設けられ、カバー部２０３が閉じた状態で操作ノブ２０４を操作することで、カバー部２０３を開くことができる。また、カバー部２０３には、視認窓２０５が設けられ、視認窓２０５からカメラ本体１０１に記録媒体が装着されているか否かを確認することができる。
【００２２】
図３は、カメラ本体１０１の表示ユニット２０２にファインダ３０１を装着した状態を示す斜視図である。図４は、ファインダ３０１を表示ユニット２０２への装着面側から見た斜視図である。図５は、図４に示すファインダ３０１を背面側から見た斜視図である。
【００２３】
ファインダ３０１は、図３に示すように、カメラ本体１０１の表示ユニット２０２に着脱可能に装着され、該装着時に表示画面２０６に表示された画像を光学系により縮小して出力する。ファインダ３０１は、図４及び図５に示すように、上面カバー４１０、下面カバー４１１、保持部材４０１、及びアイカップ４０９により外観を形成している。
【００２４】
保持部材４０１は、ファインダ３０１の表示ユニット２０２の装着面側に設けられ、図４に示すように、枠状に形成されて、表示ユニット２０２の外周部に嵌め込まれる。保持部材４０１の図４の左側には、固定側係合爪４０２が設けられ、保持部材４０１の図４の右側には、表示ユニット２０２と係脱可能に係合する可動側係合爪４０３と可動側係合爪４０３を操作するための操作部４０４が設けられている。ファインダ３０１の上面部外装には、保持部材４０１と上面カバー４１０とに跨がるように、切欠き部４１２が設けられている。なお、切欠き部４１２の機能については、後述する。
【００２５】
保持部材４０１の内周側には、ロ字状の付勢部材４０５が両面テープなどを介して貼り付けられている。付勢部材４０５は、ウレタンフォームなどのスポンジ素材で形成され、ファインダ３０１がカメラ本体１０１の表示ユニット２０２に装着された際に、保持部材４０１と表示ユニット２０２の間で弾性変形する。また、ファインダ３０１の内部には、表示ユニット２０２の装着面側に露出する第１の反射鏡４０７が保持されている。
【００２６】
アイカップ４０９は、ファインダ３０１の背面側に配置されている。アイカップ４０９には、図５に示すように、接眼側開口部５０１が設けられており、撮影者が接眼側開口部５０１を覗くことでカメラ本体１０１の表示ユニット２０２の表示画面２０６に表示された画像を視認することができる。
【００２７】
接眼側開口部５０１の内側には、視度調整レンズ５０２が設けられている。視度調整レンズ５０２は、撮影者がアイカップ４０９の底面側に設けられた視度調整ノブ５０３を操作することで、光軸方向に移動し、これにより、撮影者の視度調整が可能となる。
【００２８】
図６は、ファインダ３０１の光軸方向に沿う断面図である。前述したように、ファインダ３０１の内部には、表示ユニット２０２の装着面側に露出する第１の反射鏡４０７が保持されている。第１の反射鏡４０７は、表示画面２０６からの光束６０２ａを上方に約９０度反射するように傾斜して配置されている。
【００２９】
第１の反射鏡４０７で上方に約９０度反射された光束６０２ｂは、第１の反射鏡４０７と平行に配置された第２の反射鏡６０３に入射する。そして、第２の反射鏡６０３で光束６０２ａと平行な方向に約９０度反射された光束６０２ｃは、固定レンズ６０４及び固定レンズ６０４と同軸配置された前述した視度調整レンズ５０２を通過して、撮影者の眼６０１に到達する。なお、第１の反射鏡４０７及び第２の反射鏡６０３は、銀やアルミ等の蒸着膜により反射面が形成されている。
【００３０】
次に、図７乃至図１１を参照して、カメラ本体１０１の表示ユニット２０２について説明する。
【００３１】
図７は、カメラ本体１０１に対して表示ユニット２０２を略９０°開いて表示画面２０６を上側に向けた状態を示す斜視図である。図８は、カメラ本体１０１に対して表示ユニット２０２を略９０°開いて表示画面２０６を上側に向けた状態を示す右側面図である。図９は、図８の状態から回転軸７０３を中心として表示ユニット２０２を右方向に回転させて表示画面２０６を斜め下側に向けた状態を示す右側面図である。
【００３２】
図７乃至図９に示すように、表示ユニット２０２は、カメラ本体１０１の背面カバー２０７に対してヒンジ部７０１の回動軸７０２を介して開閉方向（図の上下方向）に回動可能に支持されている。
【００３３】
また、図９に示すように、表示ユニット２０２は、図８に示す全開状態でヒンジ部７０１の回転軸７０３を介して図の右回り方向に回転可能に支持されている。ヒンジ部７０１は、カメラ本体１０１の背面カバー２０７の上辺部に締結部７０５によって締結されている。
【００３４】
これにより、カメラ本体１０１に対して、表示ユニット２０２の表示画面２０６を上面側に向けたローアングル姿勢（図８）や下面側に向けたハイアングル姿勢（図９）での撮影が可能になる。
【００３５】
図１０は、表示ユニット２０２とカメラ本体１０１の上面部に設けられたアクセサリ取付部１０９との関係を示す部分拡大図である。
【００３６】
図１０に示すように、カメラ本体１０１に対して表示ユニット２０２がローアングル姿勢のとき、表示ユニット２０２は、背面カバー２０７の上面部に設けられた当接部２０８に裏面（表示画面２０６の反対側の面）が当接してそれ以上の回転動作が規制される。
【００３７】
ここで、背面カバー２０７の当接部２０８からアクセサリ取付部１０９の台座部１１０のカメラ本体１０１の上下方向の最下面までの距離Ｌ２は、当接部２０８から表示ユニット２０２の表示画面２０６側の最外形までの距離Ｌ１よりも大きく設定されている。
【００３８】
これにより、アクセサリをカメラ本体１０１のアクセサリ取付部１０９に着脱する際に、撮影者はアクセサリを光軸方向にスライドすることで、ローアングル姿勢時の表示ユニット２０２に干渉することなく、アクセサリの着脱が可能となる。
【００３９】
次に、図１１乃至図１４を参照して、カメラ本体１０１の表示ユニット２０２にファインダ３０１を装着する方法について説明する。
【００４０】
図１１は、表示ユニット２０２を裏面側から見た図である。図１２及び図１３は、表示ユニット２０２にファインダ３０１を装着する方法を説明する図である。図１４（ａ）は表示ユニット２０２にファインダ３０１を装着した状態を表示ユニット２０２の裏面側から見た図、図１４（ｂ）は図１４（ａ）のＦ−Ｆ線断面図である。
【００４１】
図１１に示すように、表示ユニット２０２には、裏面側から見て左側の側部に固定側被係合部１１０１が設けられ、右側の側部に可動側被係合部１１０２が設けられている。表示ユニット２０２にファインダ３０１を装着する際には、まず、表示ユニット２０２の固定側被係合部１１０１に対して略コ字状に形成されたファインダ３０１の固定側係合爪４０２を係合させる。このとき、保持部材４０１の枠に表示ユニット２０２の外形が収納されるようにファインダ３０１を傾けた状態で係合させる。
【００４２】
次に、固定側係合爪４０２の係合部を中心にファインダ３０１を図１２（ａ）中の矢印Ｃ方向に動作させ、保持部材４０１の全体を表示ユニット２０２の外形に嵌め込む。その後、可動側係合爪４０３を図１２（ｂ）の矢印Ｄ方向に操作して表示ユニット２０２の可動側被係合部１１０２に係合させ、操作部４０４を図１３（ａ）の矢印Ｅ方向に操作する。これにより、図１３（ｂ）に示すように、ファインダ３０１が表示ユニット２０２に装着される。
【００４３】
図１４（ａ）及び図１４（ｂ）は、固定側被係合部１１０１と固定側係合爪４０２との係合状態、及び可動側係合爪４０３と可動側被係合部１１０２との係合状態を示す。ファインダ３０１の可動側係合爪４０３と操作部４０４を使用した表示ユニット２０２への装着手段は、公知のドローラッチ機構を用いている。
【００４４】
次に、図１５を参照して、表示ユニット２０２にファインダ３０１を装着したときのカメラ本体１０１に設けたアクセサリ取付部１０９とファインダ３０１との関係について説明する。
【００４５】
図１５（ａ）は、ファインダ３０１を装着した表示ユニット２０２をローアングル姿勢で使用しているときのファインダ３０１のみを断面図示したカメラの右側面図、図１５（ｂ）は、図１５（ａ）に断面図示したファインダ３０１の部分拡大図である。
【００４６】
図１５（ａ）に示すように、ファインダ３０１の上面カバー４１０は、第２の反射鏡６０３に沿って配置されている。そして、カメラ本体１０１に対して表示ユニット２０２がローアングル姿勢のときにファインダ３０１を使用する際、ファインダ３０１の上面カバー４１０は、カメラ本体１０１のアクセサリ取付部１０９及び台座部１１０に最も接近する位置に配置される。
【００４７】
このとき、上面カバー４１０は、カメラ本体１０１のアクセサリ取付部１０９及び台座部１１０の上方位置でアクセサリ取付部１０９及び台座部１１０に対して斜めに対向配置される。
【００４８】
これにより、表示ユニット２０２がローアングル姿勢（全開位置）のときにファインダ３０１を使用した場合でも、カメラ本体１０１にファインダ３０１が干渉するのを回避することができる。このため、ファインダ３０１の装着有無に関わらず、カメラ本体１０１に対して表示ユニット２０２を使用角度の最大角度まで回動させることができる。
【００４９】
さらに、図１５（ｂ）に示すように、ファインダ３０１の上面部に図６に示した保持部材４０１と上面カバー４１０とに跨がるように設けた切欠き部４１２には、カメラ本体１０１の台座部１１０の一部が当接している。
【００５０】
これにより、カメラ本体１０１に対してファインダ３０１を切欠き部４１２の深さ分だけ近づけることが可能となる。ファインダ３０１を含めたカメラ全体の大型化を招くことを回避することができる。
【００５１】
即ち、切欠き部４１２を設けない場合、表示ユニット２０２のローアングル姿勢でカメラ本体１０１とファインダ３０１との干渉を回避するためには、表示ユニット２０２をヒンジ部７０１の締結部７０５ごとカメラ本体１０１の背面側に配置する必要がある。このため、ファインダ３０１を含めたカメラ全体の大型化を招くことになる。
【００５２】
以上説明したように、本実施形態では、ファインダ３０１を装着した状態で表示ユニット２０２を回動操作した際に、ファインダ３０１を含めたカメラ全体の大型化を招くことなく、表示ユニット２０２の回動角度が制限されるのを回避することができる。
【００５３】
また、図１５（ａ）に示す状態において、ファインダ３０１の第２の反射鏡６０３で反射されて眼６０１に向かう光束６０２ｃのカメラ本体１０１の光軸方向の位置は、表示ユニット２０２の回動軸７０２の回動中心よりカメラ本体１０１の正面側に配置される。
【００５４】
これにより、ローアングル姿勢のときにファインダ３０１を使用する際、アイカップ４０９に撮影者の眼６０１を押圧しても、押圧時の荷重の作用点が回動軸７０２の回動中心よりカメラ本体１０１の正面側に配置される。このため、表示ユニット２０２が回動軸７０２を中心不用意に図１５（ａ）の右回り方向に回動することなく、安定した撮影姿勢を保持することが可能となる。
【００５５】
なお、本発明の構成は、上記実施形態に例示したものに限定されるものではなく、材質、形状、寸法、形態、数、配置箇所等は、本発明の要旨を逸脱しない範囲において適宜変更可能である。
【００５６】
例えば、上記実施形態では、カメラ本体１０１に対して表示ユニット２０２を回動軸７０２及び回転軸７０３の２軸のヒンジ部７０１を介して支持する場合を例示したが、表示ユニット２０２を回動軸７０２のみの１軸のヒンジ部を介して支持してもよい。
【００５７】
また、上記実施形態では、ファインダ３０１を表示ユニット２０２の全開状態でカメラ本体１０１のアクセサリ取付部１０９に対して斜めに対向配置させる場合を例示したが、カメラ本体１０１の他の部分に対して斜めに対向配置させるようにしてもよい。
【符号の説明】
【００５８】
１０１  カメラ本体
１０９  アクセサリ取付部
１１０  台座部
２０２  表示ユニット
２０６  表示画面
３０１  ファインダ
４０７  第１の反射鏡
４１０  上面カバー
４１２  切欠き部
６０３  第２の反射鏡
【図１】
0006504862.tif 000002
【図２】
0006504862.tif 000003
【図３】
0006504862.tif 000004
【図４】
0006504862.tif 000005
【図５】
0006504862.tif 000006
【図６】
0006504862.tif 000007
【図７】
0006504862.tif 000008
【図８】
0006504862.tif 000009
【図９】
0006504862.tif 000010
【図１０】
0006504862.tif 000011
【図１１】
0006504862.tif 000012
【図１２】
0006504862.tif 000013
【図１３】
0006504862.tif 000014
【図１４】
0006504862.tif 000015
【図１５】
0006504862.tif 000016
【図１６】
0006504862.tif 000017